(57)【要約】【課題】  面状発熱体の電力供給線の断線の解消と階下への床衝撃音遮断性能の低下防止との両立を図ることのできる二重床構造を提供する。【解決手段】  床スラブ１の上に脚体２を間隔を隔てて複数配置し、脚体２の上に複数の下板３を載置し、この複数の下板の上に上板５を並設して床下地６を形成し、床下地の上の一部に面状発熱体７を設け、この面状発熱体７と床下地との上に床仕上材を設け、面状発熱体の電力供給線９を床下地に形成した電力供給線引出孔１２から床下地の下に引出した二重床構造において、面状発熱体から電力供給線引出孔までの電力供給線の収納部が、上板に設けられた上部開放かつ下部閉塞の溝２０により形成された。【選択図】        図１
2005207053.tif 000002
【特許請求の範囲】
【請求項１】
床スラブの上に脚体を間隔を隔てて複数配置し、脚体の上に複数の下板を載置し、この複数の下板の上に上板を並設して床下地を形成し、床下地の上の一部に面状発熱体を設け、この面状発熱体と床下地との上に床仕上材を設け、面状発熱体の電力供給線を床下地に形成した電力供給線引出孔から床下地の下に引出した二重床構造において、面状発熱体から電力供給線引出孔までの電力供給線の収納部が、上板に設けられた上部開放かつ下部閉塞の溝により形成されたことを特徴とする二重床構造。
【発明の詳細な説明】
【技術分野】
【０００１】
本発明は面状発熱体の電力供給線の断線の解消と階下への遮音性能の劣化防止の両立を図ることが可能な二重床構造に関する。
【背景技術】
【０００２】
床スラブの上にゴム等の防振材付きの脚体を間隔を隔てて複数配置し、複数の板を１つ１ついくつかの脚体の上面にまたがるように並べて設け、この複数の板の上に床下地板を並べて床下地面を形成し、床下地面の上に床仕上材を設けた二重床構造が知られている（特許文献１）。
【０００３】
上記二重床構造において床暖房を採用する場合を図３、図４を参照して説明する。図３は床スラブの上に設けられる複数の脚体と脚体の上に設けられる下板との配置を上から見た図である。図４（ａ）は床下地の上の中央に２枚の面状発熱体を敷いた状態を上から見た図、図４（ｂ）は図４（ａ）のＡ−Ａ断面図である。まず、図３に示すように、床スラブ１上に脚体２を間隔を隔てて複数配置し、複数の下板３の１つ１つを６本の脚体２の台座４の上面に掛かるように配置して下板３を釘、接着剤等の固定材で脚体２の台座４の上面に取り付ける。隣合う下板３と下板３は１５〜２０ｍｍ程度間隔を隔てて並べ、並べた複数の下板３の上面の水平レベルを脚体２の高さを調整して合わせる。図示しないが、脚体２の台座４の中央には上下貫通孔が形成され、この上下貫通孔には筒が嵌め込まれている。この筒の内周にはねじが形成されており、この筒内に図４（ｂ）に示すねじ支柱４ｂが挿入されている。ねじ支柱４ｂの下端は防振ゴム体４ｃに回転可能に支持されている。よって、ねじ支柱４ｂを回すことで台座４の位置を上下に調整可能である。この台座４の上下位置を調整することで、下板３の水平レベルを調整する。水平レベルを調整した複数の下板３の上面に釘、接着剤等の固定材で上板５を取付けて図４(ａ)のように床下地６を形成する。この床下地６の上面の中央に面状発熱体７を例えば２枚敷いて、面状発熱体７と床下地６の上面に釘、接着剤等の固定材で図外のフローリング材などの床仕上材を取付ける。これにより、床下地６と床仕上材との間に面状発熱体７が挟み込まれる。面状発熱体７に電力を供給するために、面状発熱体７の接続ボックス８に接続された電力供給線９を面状発熱体７のコントローラ１０に接続する必要がある。このため、壁１１に近い位置の床下地６に上下に貫通する電力供給線引出孔１２を形成し、床下地６の上から電力供給線９を電力供給線引出孔１２に通して壁下地１３の裏側から壁下地１３の表側に引き回してコントローラ１０に接続し、コントローラ１０を壁下地１３に形成したコントローラ収納部１４に固定する。図示しないが、この電力供給線９の引き回し作業は、電力供給線引出孔１２から壁下地１３のコントローラ収納部１４まで図外の線保護管を配設し、電源供給線９を線保護管の穴に通してコントローラ収納部１４から室内に引出して、電源供給線９をコントローラ１０に接続してから、コントローラ１０をコントローラ収納部１４に取付ける。この線保護管により施工中の電源供給線の断線を防止できる。この際、面状発熱体７から電力供給線引出孔１２までの電力供給線９を上板５の上面に沿わせておくと、床仕上材の上からの力が加わった場合に電力供給線９が断線したりするおそれがある。したがって、電力供給線９が床仕上材の上からの力を受けないように、上板５に上下に貫通する孔１５を形成して、上板５の切断端面１５ａと下板３の上面１５ｂとで囲まれた収納部を設け、この収納部に電力供給線９及び接続ボックス８を収納している。接続ボックス８が孔１５内で浮く場合は、接続ボックス８の下に板材８ａを敷く。面状発熱体７は、ＰＥＴ樹脂で厚さ０．５ｍｍ程度に形成されたシートの内部に、電力供給で発熱するカーボン線やニクロム���などの発熱線を内蔵したものである。
【０００４】
上記のように、上板５に上下に貫通する孔１５を形成すると、孔１５により上板５の剛性が低下するとともに、孔１５により上板５の縁が切れてしまう。従って、孔１５の形成された上板５に床仕上材の上から力が加わった場合、その上板５の下にある例えば３枚の下板３及びさらにその３枚の下板３の下にある１６個の脚体２に力が分散しにくい。例えば、図３の一点鎖線で示す部分に上板５が位置し、二点鎖線で示す部分に上板の孔１５が位置している場合において、床仕上材の上から上板５のＡ点に力が加わった場合には、孔１５がない場合と比べて、Ａ点の近くの下にある図３の右側の脚部２Ｘに力が集中しやすく、孔１５を挟んだ位置の下にあるその他の脚部２には力が伝わりにくいので、階下への床衝撃音遮断性能が低下する。孔１５より離れたＢ点に力が加わったとしても、孔１５がない場合と比べて、Ｂ点から見て孔１５を隔てた位置の下にある脚部２Ｘに力が伝わりにくく、Ｂ点の位置の近くの下にある脚部２に力が集中しやすく、上部床剛性が低下し、階下への床衝撃音遮断性能が低下する。
【特許文献１】特開２０００−２７４１６号公報
【発明の開示】
【発明が解決しようとする課題】
【０００５】
発明が解決しようとする課題は、面状発熱体の電力供給線の断線の解消と階下への床衝撃音遮断性能の低下防止との両立を図ることである。
【課題を解決するための手段】
【０００６】
本発明は、床スラブの上に脚体を間隔を隔てて複数配置し、脚体の上に複数の下板を載置し、この複数の下板の上に上板を並設して床下地を形成し、床下地の上の一部に面状発熱体を設け、この面状発熱体と床下地との上に床仕上材を設け、面状発熱体の電力供給線を床下地に形成した電力供給線引出孔から床下地の下に引出した二重床構造において、面状発熱体から電力供給線引出孔までの電力供給線の収納部が、上板に設けられた上部開放かつ下部閉塞の溝により形成されたことを特徴とする。
【発明の効果】
【０００７】
面状発熱体から電力供給線引出孔までの電力供給線の収納部を、上板に設けられた上部開放かつ下部閉塞の溝により形成したことで、上板の剛性の低下は小さく、上板は縁が切れないので、上板の下にある下板及びさらにその下にある脚体に力が分散しやすく、階下への床衝撃音遮断性能の低下を防止でき、面状発熱体の電力供給線の断線の解消と階下への床衝撃音遮断性能の低下防止との両立を図ることができる。
【発明を実施するための最良の形態】
【０００８】
図１（ａ）は床下地の上の中央に２枚の面状発熱体を並べて敷いた状態を上から見た図、図１（ｂ）は図１（ａ）のＡ−Ａ断面図である。図２は床スラブの上に設けられる複数の脚体と脚体の上に設けられる下板との配置を上から見た図である。尚、図３，４と同一又は相当部分は同一符号を付す。
【０００９】
実施形態の二重床構造は、図１（ａ），（ｂ）に示すように、面状発熱体７から電力供給線引出孔１２までの電力供給線９の収納部を、上板５に設けられた上部開放かつ下部閉塞の溝２０により形成した。この溝２０は、面状発熱体７の電力供給線９の接続ボックス８の位置から電力供給線引出孔１２の位置まで連設する。溝２０の深さは上板５の板厚さの１／２程度である。よって溝２０が形成された上板５の下部は板部２１で繋がっているので、上板５の剛性の低下は小さく、また、上板５は縁が切れない。この溝２０に電力供給線９及び接続ボックス８を収納すれば、電力供給線９の断線を解消でき、かつ、階下への床衝撃音遮断性能の低下を防止できる。溝２０は、切削機械で形成したり、蚤で形成すればよい。
【００１０】
実施形態の二重床構造によれば、１枚の上板５に形成された溝２０の下は板部２１で繋がっているので、溝２０を形成した上板５の剛性の低下は孔１５を形成した上板５より小さくなり、また、１枚の上板５は縁が切れない。従って、溝２０を形成した上板５に床仕上材の上から力が加わると、その上板５の下にある例えば３枚の下板３及びさらにその３枚の下板３の下にある１２個の脚体２に力が分散しやすく、階下への床衝撃音遮断性能の低下を防止できる。例えば、図２の一点鎖線で示す部分に上板５が位置し、二点鎖線で示す部分に上板の溝２０が位置している場合において、床仕上材の上から図２のＡ点あるいＢ点の位置に力が加わったとすると、力が上板５の溝２０の下の板部２１を伝達して溝２０を挟んだ位置の下にある下板３に伝わりやすく、３枚の下板３の下にある１２個の脚体２に分散しやすいので、階下への床衝撃音遮断性能の低下を防止できる。また、大きな部屋を構成する場合には面状発熱体７を多数敷くが、この場合、従来では１枚の上板５に多くの孔１５を形成するため階下への床衝撃音遮断性能が益々低下するが、実施形態では１枚の上板５に多くの溝２０を形成したとしても、１枚の上板５は板部２１で繋がっているので、剛性の低下は少なく、また、１枚の上板５は縁が切れない。従って、階下への床衝撃音遮断性能の低下を少なくできる。
【００１１】
上板５としては例えば合板を用いればよいが、剛性率の高い合板を用いることにより階下への床衝撃音遮断性能の低下防止効果をさらに向上できる。下板３としては、例えば木粉末を固めて形成された平板を用いる。
【産業上の利用可能性】
【００１２】
本発明の二重床構造は、鉄筋コンクリート造等の建築物において階上から階下への騒音対策に有効である。
【図面の簡単な説明】
【００１３】
【図１】実施形態による二重床構造を示し、図１（ａ）は床下地の上の中央に面状発熱体を敷いた状態を上から見た図、図１（ｂ）は図１（ａ）のＡ−Ａ断面図。
【図２】実施形態による二重床構造において床スラブの上に設けられる複数の脚体と脚体の上に設けられる下板との配置を上から見た図。
【図３】従来の二重床構造において床スラブの上に設けられる複数の脚体と脚体の上に設けられる下板との配置を上から見た図。
【図４】従来の二重床構造を示し、図４（ａ）は床下地の上の中央に面状発熱体を敷いた状態を上から見た図、図４（ｂ）は図４（ａ）のＡ−Ａ断面図。
【符号の説明】
【００１４】
１  床スラブ、２  脚体、３  下板、５  上板、６  床下地、７  面状発熱体、
９  電力供給線、１２  電力供給線引出孔、２０  溝、２１  板部。
【図１】
2005207053.tif 000003
【図２】
2005207053.tif 000004
【図３】
2005207053.tif 000005
【図４】
2005207053.tif 000006